(57)【要約】  【課題】本発明は、ステープルやクリップ等の原稿止めで綴じられた原稿の複写において、原稿止めや綴じ代部分がそのまま用紙に印刷されることなく、見栄えの良い原稿画像を印刷することが可能な画像形成装置を提供することを目的とする。  【解決手段】本実施形態の複写機１は、綴じられた原稿５０の表紙５１の画像データからステープル５２の位置を自動的に検出し、各ページの原稿５０の画像データから該ステープル５２の位置に応じて置換されるステープル５２部分や綴じ代部５４分の置換領域、および該置換領域部分のデータ要素を置換するマスク用データ要素の色である置換色を自動的に設定し、そして、原稿５０の画像データのうち、該置換領域部分のデータ要素を該置換色のマスク用データ要素に変換して複写を行う構成とされている。【選択図】      図４
2006060520.tif 000002
【特許請求の範囲】
【請求項１】
原稿画像を取り込んで画像データを生成する原稿取込部と、原稿を綴じるための原稿止めのパターン画像データを記憶する記憶部と、前記画像データと前記原稿止めのパターン画像データを比較照合する照合手段と、前記照合手段による照合が一致した際に、前記画像データ上における前記原稿止めの位置を検出する位置検出手段を有して成る画像形成装置において、
前記画像データのうち、前記原稿止めの位置に応じて置換される所定の置換領域部分のデータ要素を所定のマスク用データ要素に置換する画像置換手段を有して成ることを特徴とする画像形成装置。
【請求項２】
前記所定の置換領域部分のデータ要素は、前記画像データのうち、前記照合手段による照合が一致した前記原稿止めの領域部分のデータ要素であることを特徴とする請求項１に記載の画像形成装置。
【請求項３】
前記所定のマスク用データ要素の色は、白色であることを特徴とする請求項１または請求項２に記載の画像形成装置。
【請求項４】
情報の入力操作を受け付ける操作部と、前記操作部から入力された色を前記画像置換手段に指示する色指示手段を有し、
前記所定のマスク用データ要素の色は、前記操作部から入力された前記色であることを特徴とする請求項１または請求項２に記載の画像形成装置。
【請求項５】
前記画像データのうち、前記原稿止めの位置に応じて置換される前記所定の置換領域部分近傍における所定の領域部分のデータ要素の色を検出する周辺色検出手段を有し、
前記所定のマスク用データ要素の色は、前記周辺色検出手段によって検出された前記所定の領域部分のデータ要素の色であることを特徴とする請求項１または請求項２に記載の画像形成装置。
【請求項６】
前記画像データのうち、前記原稿画像の下地色を検出する下地色検出手段を有し、
前記所定のマスク用データ要素の色は、前記下地色検出手段によって検出された前記原稿画像の下地色であることを特徴とする請求項１または請求項２に記載の画像形成装置。
【請求項７】
前記原稿止めにより綴じられた原稿を複写する際に、前記画像データのうち、前記原稿止めの位置に応じて置換される所定の置換領域部分のデータ要素を所定のマスク用データ要素に置換して複写が行われる専用モードを有して成ることを特徴とする請求項１から請求項６のいずれかに記載の画像形成装置。
【発明の詳細な説明】
【技術分野】
【０００１】
本発明は、複写機やファクシミリ等の画像形成装置に関するものであり、特に、ステープルやクリップ等の原稿止めで綴じられた原稿の複写に関するものである。
【背景技術】
【０００２】
従来の画像形成装置において、原稿として様々な様式のものが使用されるが、複数枚の原稿がステープルやクリップ等で綴じられた原稿も多く、ステープルやクリップ等の原稿止めで綴じられたままの原稿が複写されることも多い。例えば、ステープルで綴じられた原稿の複写において、表紙が複写される場合には、ステープル画像がそのまま用紙に印刷される。また、２ページ目以降の原稿が複写される場合には、原稿がめくられて外側におりこまれた原稿の綴じ代部と原稿との間に段差があるため、綴じ代部分が、綴じ代部近傍の色と異なる色で複写されてしまう。例えば、モノクロの複写が行われる装置では、原稿の綴じ代部は、影が生じるため黒く読み取られ、黒く複写されてしまう。これらの対策として、例えば、予め綴じ代となる原稿の角部の略三角形領域を指定し、複写時にその領域の黒データを白データに変換して綴じ代部分を白色に印刷することが可能な画像形成装置が開示・提案されている（例えば、特許文献１を参照）。
【０００３】
また、上記の対策と直接的に関係ないが、参考として、例えば、ステープルで綴じられた原稿の画像データからステープルの位置を認識して記憶する手段を有し、ステープルの位置を指定することなく自動的にその原稿のステープルの位置と同位置にステープル処理を行うことが可能な画像形成装置が開示・提案されている（例えば、特許文献２を参照）。
【特許文献１】特開２０００−１５１９３０号公報
【特許文献２】特開平１０−２９０３０９号公報
【発明の開示】
【発明が解決しようとする課題】
【０００４】
確かに、特許文献１に開示された画像形成装置であれば、複写時に、原稿からステープルやクリップを取り外さなくても、ステープルやクリップの画像はそのまま用紙に複写されず、また原稿の綴じ代部分も用紙に黒く印刷されることはなく、綴じ代部分を白色で用紙に印刷することが可能となる。
【０００５】
しかしながら、特許文献１に開示された画像形成装置においては、ステープルの位置や綴じ代部分は自動的に検出されず、綴じ代部分をユーザが指定する必要があったため、その操作が煩雑であった。ステープルで綴じられた原稿の表紙を複写する場合には、指定した綴じ代部分が白色に印刷されるため、ステープル以外の領域も白色に印刷されてしまう。また、綴じ代部分の周辺の色が白色でない場合には、複写済み用紙の綴じ代部分は結局その周辺の色と異なってしまい、見栄えの良い複写画像を得ることができないという問題があった。
【０００６】
本発明は、上記の課題に鑑み、綴じられた原稿の表紙画像データからステープルやクリップ等の原稿止めの位置を自動的に検出し、各ページの原稿画像データから該原稿止めの位置に応じて置換される原稿止めや綴じ代部分の置換領域、および該置換領域部分のデータ要素を置換するマスク用データ要素の色である置換色を自動的に設定し、そして、原稿画像データのうち、該置換領域部分のデータ要素を該置換色のマスク用データ要素に変換して複写を行うことが可能な画像形成装置を提供することを目的とする。
【課題を解決するための手段】
【０００７】
上記目的を達成するために、本発明に係る画像形成装置は、原稿画像を取り込んで画像データを生成する原稿取込部と、原稿を綴じるための原稿止めのパターン画像データを記憶する記憶部と、前記画像データと前記原稿止めのパターン画像データを比較照合する照合手段と、前記照合手段による照合が一致した際に、前記画像データ上における前記原稿止めの位置を検出する位置検出手段を有して成り、前記画像データのうち、前記原稿止めの位置に応じて置換される所定の置換領域部分のデータ要素を所定のマスク用データ要素に置換する画像置換手段を有して成る構成とするとよい。
【０００８】
また、上記構成から成る画像形成装置において、前記所定の置換領域部分のデータ要素に前記画像データのうち、前記照合手段による照合が一致した前記原稿止めの領域部分のデータ要素が用いられる構成とするとよい。
【０００９】
また、上記構成から成る画像形成装置において、前記所定のマスク用データ要素の色に、白色が用いられる構成とするとよい。
【００１０】
また、上記構成から成る画像形成装置は、情報の入力操作を受け付ける操作部と、前記操作部から入力された色を前記画像置換手段に指示する色指示手段を有し、前記所定のマスク用データ要素の色に、前記操作部から入力された前記色が用いられる構成するとよい。
【００１１】
また、上記構成から成る画像形成装置は、前記画像データのうち、前記原稿止めの位置に応じて置換される前記所定の置換領域部分近傍における所定の領域部分のデータ要素の色を検出する周辺色検出手段を有し、前記所定のマスク用データ要素の色に、前記周辺色検出手段によって検出された前記所定の領域部分のデータ要素の色が用いられる構成とするとよい。
【００１２】
また、上記構成から成る画像形成装置は、前記画像データのうち、前記原稿画像の下地色を検出する下地色検出手段を有し、前記所定のマスク用データ要素の色に前記下地色検出手段によって検出された前記原稿画像の下地色が用いられる構成にするとよい。
【００１３】
また、上記構成から成る画像形成装置は、前記原稿止めにより綴じられた原稿を複写する際に、前記画像データのうち、前記原稿止めの位置に応じて置換される所定の置換領域部分のデータ要素を所定のマスク用データ要素に置換して複写が行われる専用モードを有する構成にするとよい。
【発明の効果】
【００１４】
上記したように、本発明に係る画像形成装置であれば、原稿止めで綴じられた原稿の複写において、原稿止め部分や綴じ代部分の置換領域部分のデータ要素がこれらの近傍の画像と同様な色のマスク用データ要素に置換されるため、見栄えの良い複写画像が印刷された用紙を得ることが可能になる。
【発明を実施するための最良の形態】
【００１５】
以下では、本発明を複写機に適用した場合を例に挙げて説明を行う。図１は本発明に係る複写機の要部構成を示すブロック図であり、図２は本発明に係る複写機の要部構造を模式的に示す縦断面図である。両図に示すように、本実施形態の複写機１は、装置全体の動作を制御する中央演算処理装置１０（以下、ＣＰＵ［Central Processing Unit］１０と呼ぶ）と、原稿を自動搬送する原稿搬送部１１と、原稿搬送部１１から搬送された原稿をカラーで取り込んで画像データを生成する原稿取込部１２と、操作手段（テンキーやタッチパネルなど）と表示手段（液晶ディスプレイなど）から成る操作表示部１３と、画像データに基づいて用紙へのカラーあるいはモノクロの画像出力を行う画像形成部１４（プリンタヘッドや感光ドラムから成るプリント部１４１と、該プリント部１４１で得られた画像出力を用紙に定着させる定着部１４２とを含む）と、画像形成部１４に給紙を行う給紙部１５と、各種制御プログラム等が格納されたＲＯＭ［Read Only Memory］、ワーク領域として用いられるＲＡＭ［Random Access Memory］およびステープルやクリップ等の原稿止めの複数のパターン画像データを格納するパターン用メモリから成るメモリ部１６と、画像形成済み用紙の排紙先と成る排紙部１７と、を有して成る。
【００１６】
ＣＰＵ１０は、装置全体の動作を制御するほか、綴じられた原稿の表紙画像データから原稿止めの位置を自動的に検出し、各ページの原稿画像データから該原稿止めの位置に応じて置換される原稿止めや綴じ代部分の置換領域、および該置換領域部分のデータ要素を置換するマスク用データ要素の色である置換色を自動的に設定し、そして、原稿画像データのうち、置換領域部分のデータ要素を該置換色のマスク用データ要素に変換して複写が行われる制御に関する処理を行う。
【００１７】
給紙部１５は、画像形成部１４への給紙元となる複数段（本実施形態では３段）の用紙収納部１５１と、各用紙収納部１５１から画像形成部１４への共通した用紙搬送経路となる用紙搬送部１５２と、を有して成る。
【００１８】
また、操作表示部１３は、図３に示すように、タッチパネル機能を備えた液晶ディスプレイ１３０を有している。
【００１９】
液晶ディスプレイ１３０は、例えば、図３に示すように、複写機能を選択するときに押されるコピーモード切替部１３１と、原稿止めで綴じられた原稿の複写の際に、原稿止めや綴じ代部の画像が所定の画像に置換され、原稿止めや綴じ代部の画像がこれらの周囲の画像と調和して目立たないように複写される機能を選択するときに押されるマスクモード切替部１３２と、新たにステープルやクリップ等の原稿止めパターンを登録する際に押されるパターン登録切替部１３３と、装置のステータスが表示されるステータス表示部１３４と、各種手続き案内等が表示されるメイン表示部１３５と、コピー倍率を設定するコピー倍率設定部１３９と、該コピー倍率設定部１３９で設定されたコピー倍率が表示されるコピー倍率表示部１３６と、図示していないテンキーにより設定されたコピー枚数が表示される枚数表示部１３７と、印字先となる用紙のサイズの選択または用紙サイズの選択方法を設定する用紙サイズ設定部１４０と、用紙サイズ設定部１４０で選択された用紙サイズまたは用紙サイズの選択方法が表示される用紙表示部１３８と、コピー時のコピー画質モードを選択するコピー画質選択部１４１と、が表示される。
【００２０】
次に、上記構成から成る複写機１の通常のコピーモードにおける綴じられていない原稿の複写動作について説明する。複写機１における原稿複写動作では、まず原稿搬送部１１から原稿取込部１２に原稿が搬送され、原稿取込部１２による該原稿画像のカラーで取り込み（画像データの生成）が行われる。生成された画像データは、一旦メモリ部１６に格納された後、再び読み出されて画像形成部１４に送出される。その後、画像形成部１４では、入力された画像データに基づく用紙への画像形成処理並びに定着処理が行われる。
【００２１】
なお、本実施形態の複写機１は、綴じられた原稿の表紙画像データからステープルやクリップ等の原稿止めの位置を自動的に検出し、各ページの原稿画像データから該原稿止めの位置に応じて置換される原稿止めや綴じ代部分の置換領域、および該置換領域部分のデータ要素を置換するマスク用データ要素の色である置換色を自動的に設定し、そして、原稿画像データのうち、該置換領域部分のデータ要素を該置換色のマスク用データ要素に変換して複写が行われる複写動作に特徴を有している。
【００２２】
そこで、以下では、図を参照しながら、本実施形態の複写機１におけるその特徴を有した複写動作について詳細な説明を行う。また、この複写動作は、専用のモードであるコピーモード時のマスクモードにて実施される。なお、以下では、原稿がステープルにより綴じられている場合について説明を行う。
【００２３】
図４は、ステープルで綴じられた原稿を複写する場合における複写機１の複写動作を示すフローチャート図である。図５は、ステープルで綴じられた原稿の表紙を示す図である。図１から図５に示すように、本実施形態の複写機１では、ステップＳ４−１で、マスクモード切替部１３２が押下されてマスクモードが選択されると、角部５３がステープル５２に綴じられた原稿５０の表紙５１が複写されるマスクモードある旨が表示される。
【００２４】
ステップＳ４−２で、図５に示すように、ステープル４２で綴じられた原稿５０の表紙５１が、原稿取込部１１の図示していない原稿画像取込窓に印字面を向けて所定の位置に配置される。そして、複写枚数等の入力の後、操作表示部１３の図示されていないスタートキーが押下されると、原稿取込部１１により表紙５１の画像の取り込みが行われる。そして、ＣＰＵ１０により原稿サイズが判定された後、一旦、表紙５１の画像データがメモリ部１６に記憶される。
【００２５】
続いて、ステップＳ４−３で、ＣＰＵ１０によりメモリ部１６に記憶された表紙５１の画像データが読み出され、ステープル５２の位置の検出が以下のように行われる。図６（ａ）は、表紙５１の画像データからステープル５２近傍の画像を拡大した拡大図である。図６（ｂ）は、図６（ａ）の破線部６１におけるステープル５２近傍の画像濃度を示す図である。例えば、表紙５１の画像データ上におけるステープル５２近傍の画像は、図６（ａ）に示すように、ステープル５２の形状を示す画像と表紙の下地を示す画像から形成されている。図６（ａ）の破線部６１の画像濃度は、図６（ｂ）のように、ステープル５２の画像領域の画像レベルａ６２ａが周囲の画像レベルｂ６２ｂとの間に大きな差があり、この画像レベルの差が、図６（ａ）に示すステープル５２の画像領域に亘って、この画像レベルが連続して存在している。この連続した画像レベルａ６２ａと画像レベルｂ６２ｂとの境界点は、ステープル５２の形状あるいはステーブル５２と近似的な図形を成している。この特徴を利用して、表紙５１の画像データから記号や文字等の形状のデータが抽出される。そして、表紙５１の画像データから抽出されたこれらの形状のデータとメモリ部１６に格納された全てのステープルパターンが、ＣＰＵ１０により比較照合される。そして、この照合により表紙５１の画像データにステープルパターンと一致するステープル５２があると、ＣＰＵ１０によりステープルパターンと一致した表紙５１の画像データ上のステープル５２の位置や形状等が検出される。そして、ステープル５２の位置や形状等の情報が、一旦、メモリ部１６に記憶される。なお、ステープル５２の位置の検出方法は、上記以外の公知の方法で行われてもよい。
【００２６】
また、ステープル５２の位置が検出されなかった場合には、その旨がメイン表示部１３５に表示される。新しいステープルパターンは、以下のように登録される。図３に示すように、パターン登録切替部１３３が押下されると、メイン表示部１３５に、表紙５１の画像が表示され、ステープル５２の部分をタッチペン等で指定し登録することで、新たなステープルパターンがメモリ部１６に追加格納される。
【００２７】
続いて、ステップＳ４−４で、ステープル５２の位置の検出結果に基づいて、表紙５１の画像データ上のステープル５２領域部分が、マスク用データ要素で置換される置換領域として自動的に設定される。なお、置換領域は、ステープル５２が隠れる程度の領域に設定されるとよい。
【００２８】
続いて、ステップＳ４−５で、表紙５１の画像データ上のステープル領域部分のデータ要素を置換するマスク用データ要素の色である置換色が、以下のように自動的に設定される。
【００２９】
図７は、表紙画像上におけるステープル５２のエッジから所定の距離Ｘ間の領域を説明するための図である。図７に示すように、まず表紙５１の画像データと検出されたステープル５２の位置や形状等の情報が、ＣＰＵ１０によりメモリ部１６から読み取られる。そして、ＣＰＵ１０によりステープル５２のエッジから所定の距離Ｘ間の領域７１における画像データが、その表紙５１の画像データからサンプリングされ、その平均化されたサンプリング画像データの示す色が、置換色として設定される。
【００３０】
また、置換色は、ＣＰＵ１０により表紙５１の画像データから表紙５１の下地色が検出され、その検出された色が設定されてもよい。例えば、表紙５１の下地色の検出は、取り込まれた表紙５１の画像データの中で最も多い色が表紙５１の下地色であると判断する方法等の公知の方法でよい。
【００３１】
また、置換色は、下地色が白い原稿が多く使用されるため、白色が設定されてもよい。
【００３２】
また、置換色は、例えば、以下のように設定されてもよい。図８は、表紙５１の画像が表示された液晶ディスプレイ１３０を示す図である。まず、図８に示すように、液晶ディスプレイ１３０のメイン表示部１３５にステープル５２の画像が含まれた表紙５１の画像が表示される。続いて、表示された表紙５１の画面上の領域８１をタッチ操作にて指定し、その指定された表紙５１の画像上の領域８１部分における画像データが、ＣＰＵ１０によりサンプリングされる。そして、サンプリングされた画像データが平均化され、その平均化されたサンプリング画像データの色が、置換色として自動的に設定される。
【００３３】
続いて、ステップＳ４−６で、表紙５１の画像データのうち、ステープル５２領域部分のデータ要素が、ステップＳ４−５で設定された置換色のマスク用データ要素で置換される。
【００３４】
続いて、ステップＳ４−７で置換された表紙５１の画像データに基づいて、画像形成部１４により用紙に、置換済みの表紙画像が形成され、排紙部１７に排紙される。よって、ステープル５２の画像が除去された表紙画像が用紙に形成されるため、見栄えのよい表紙画像が印刷された用紙を得ることができる。そして、予め設定された複写枚数が完了するとステップＳ４−８に進む。
【００３５】
ステップＳ４−８で、２ページ目以降の原稿も複写を行うかどうかの旨がメイン表示部１３５に表示される。複写が行われない場合（Ｓ４−８ＮＯ）には、メイン表示部１３５に表示される完了ボタンが押下され、本動作が完了する。また、引き続き２ページ目以降の原稿の複写が行なわれる場合（Ｓ４−８ＹＥＳ）には、メイン表示部１３５に表示される実行ボタンが押下されると、ステータス表示部１３４に２ページ目以降の複写を行う旨が表示され、ステップＳ４−９に進む。
【００３６】
続いて、ステップＳ４−９で、２ページ目以降のある原稿画像が原稿取込部１１によって以下のように取り込まれる。図９は、原稿５０がめくられた際のあるページの原稿を示す図である。まず、図９に示すように、角部５３がステープル５２により綴じられた原稿５０がめくられてから外側に折り込まれ、複写が行われる原稿５５が開かれる。そして、角部５３に綴じ代部５４のある原稿５５が、原稿取込部１１の図示していない原稿画像取込窓に印字面を向けて、表紙画像の取り込み時と同じ向きと位置で配置される。続いて、複写枚数等の入力の後、図示されていないスタートキーが押下されると、原稿取込部１１により原稿５５の画像の取り込みが行われ、原稿サイズや原稿位置等が判定された後、一旦、原稿５５の画像データ、原稿サイズおよび原稿位置等の情報がメモリ部１６に記憶される。
【００３７】
続いて、ステップＳ４−１０で、原稿５５の綴じ代部５４の画像がそのまま用紙に印刷されないように、ステップＳ４−３で検出したステープル５２の位置に基づいて、原稿５５の画像データのうち、綴じ代部５４を含む領域が置換領域として自動的に以下のように設定される。
【００３８】
図１０は、ステープル５２で原稿５０の角部５３が綴じられている場合における置換領域の設定方法を説明するための図である。例えば、図９や図１０に示すように、ステープル５２で原稿５０の角部５３が綴じられている場合には、ステップＳ４−３でのステープル５２の位置の検出時に、ＣＰＵ１０によりそのステープル５２の位置が予め設定されている角部５３近傍の範囲内にあれば、ステープル５２で角部５３が綴じられていることが判定されている。そこで、綴じ代部５４分が印刷されないようにするため、原稿５５の角５６から最も離れたステープル５２部分の位置よりも、さらに所定の距離を離れた位置まで、すなわち綴じ代部５４を含む程度の領域である原稿５５の角５６から半径Ｌの１／４円の領域１０１が、置換領域として自動的に設定される。なお、ステープル５２の位置に基づいて、綴じ代部５４より広い領域あるいは綴じ代部５４と同じ領域が置換領域として自動的に設定されればよい。
【００３９】
また、原稿の上部がステープル５２で綴じられている場合における置換領域の設定方法を以下に説明する。図１１は、原稿の上部がステープル５２で綴じられている場合における置換領域の設定方法を説明するための図である。例えば、図１０に示すように、原稿１１０の上部１１１がステープル５２で綴じられている場合には、ステップＳ４−３でのステープル５２の位置の検出時に、そのステープル５２の位置が予め設定されている上部１１１近傍の範囲内にあれば、上部１１１にステープル５２がされていると判定される。また、この場合の綴じ代部１１２の画像がそのまま用紙に印刷されないように、原稿がめくられて開かれた原稿１１４の上部１１１から垂直方向に最も離れたステープル５２の位置よりも、さらに所定の距離離れた位置まで、すなわち原稿１１４の上端１１５から距離Ｓの矩形領域１１３が、置換領域として自動的に設定される。なお、その置換領域は、綴じ代部１１２より広い領域あるいは綴じ代部１１２と同じ領域が置換領域として自動的に設定されればよい。
【００４０】
続いて、ステップＳ４−１１で、原稿５５の画像データ上の置換領域である領域１０１部分のデータ要素を置換するマスク用データ要素の色である置換色が、ステップＳ４−５で設定された色と同じ色に自動的に設定される。なお、その置換色が、原稿５５の画像データから下地色や綴じ代部５４の近傍の色が前述のような方法で検出されて自動的に設定されてもよい。
【００４１】
続いて、ステップＳ４−１２で、原稿５５画像データのうち、置換領域である領域１０１部分のデータ要素が、ステップＳ４−１１で設定された置換色のマスク用データ要素で置換される。
【００４２】
続いて、ステップＳ４−１３で置換された原稿画像データに基づいて、画像形成部１４によってその原稿画像が用紙に形成された後、排紙部１７に排紙される。従って、綴じ代部５４の画像が除去された原稿画像が用紙に形成されるため、見栄えのよい原稿画像が印刷された用紙を得ることができる。そして、予め設定された複写枚数が完了するとステップＳ４−１４に進む。
【００４３】
ステップＳ４−１４で、引き続き、２ページ目以降の原稿も複写を行うかどうかの旨がメイン表示部１３５に表示される。複写が行われない場合（Ｓ４−１４ＮＯ）には、メイン表示部１３５に表示される完了ボタンを押下されると、本動作が完了する。引き続き異なるページの原稿の複写が行われる場合（Ｓ４−１４ＹＥＳ）には、メイン表示部１３５に表示される実行ボタンが押下されると、再びステップＳ４−９に進み、前述のような動作が行われる。
【００４４】
以上で説明したように、実施形態の複写機１であれば、ステープルやクリップ等の原稿止めで綴じられた原稿の複写において、原稿止め部分や綴じ代部分の画像が自動的にこれらの近傍の画像と同様な色の画像に置換されて印刷されるため、原稿止め部分や綴じ代部分が除去された見栄えのよい原稿画像が、印刷された用紙を得ることが可能になる。
【産業上の利用可能性】
【００４５】
本発明は、複写機の他にも、ファクシミリなどの画像形成装置に適用が可能であり、ステープルやクリップ等の原稿止めにより綴じられた原稿の複写画像の品質向上に有用な技術である。
【図面の簡単な説明】
【００４６】
【図１】は、本発明に係る複写機の要部構成を示すブロック図である。
【図２】は、本発明に係る複写機の要部構造を模式的に示す縦断面図である。
【図３】は、液晶ディスプレイの表示画面の一例を示す図である。
【図４】は、ステープルで綴じられた原稿を複写する場合における複写機の複写動作を示すフローチャート図である。
【図５】は、ステープルで綴じられた原稿の表紙を示す図である。
【図６】は、表紙の画像データからステープルの位置を検出する方法を説明するための図である。
【図７】は、表紙画像上におけるステープルのエッジから所定の距離Ｘ間の領域を説明するための図である。
【図８】は、表紙の画像が表示された液晶ディスプレイを示す図である。
【図９】は、原稿がめくられた際のあるページの原稿を示す図である。
【図１０】は、ステープルで原稿の角部が綴じられている場合における置換領域の設定方法を説明するための図である。
【図１１】は、ステープルで原稿の上部が綴じられている場合における置換領域の設定方法を説明するための図である。
【符号の説明】
【００４７】
１    複写機
１０    中央演算処理装置（ＣＰＵ）
１１    原稿搬送部
１２    原稿取込部
１３    操作表示部
１３０    液晶ディスプレイ
１３１    コピーモード切替部
１３２    マスクモード切替部
１３３    パターン登録切替部
１３４    ステータス表示部
１３５    メイン表示部
１４    画像形成部
１５    給紙部
１６    メモリ部
１７    排紙部
５０    原稿
５１    表紙
５２    ステープル
５３    角部
５４    綴じ代部
１０１    領域
【図１】
2006060520.tif 000003
【図２】
2006060520.tif 000004
【図３】
2006060520.tif 000005
【図４】
2006060520.tif 000006
【図５】
2006060520.tif 000007
【図６】
2006060520.tif 000008
【図７】
2006060520.tif 000009
【図８】
2006060520.tif 000010
【図９】
2006060520.tif 000011
【図１０】
2006060520.tif 000012
【図１１】
2006060520.tif 000013